(57)【要約】【課題】メダル計数機内に塵埃が入り込むのを防止できる。【解決手段】遊技用のメダルが投入される投入口と、前記投入口を開閉する扉と、前記投入口のメダル投入位置よりも手前の位置において前記メダルの有無を検出するセンサと、前記センサが前記メダルを検出すると、前記扉を開く制御装置と、前記扉を介して前記投入口を通過した後の前記メダルの枚数を計数する計数装置と、を備える。【選択図】図３
2013188254.tif 000002
【特許請求の範囲】
【請求項１】
遊技用のメダルが投入される投入口と、
前記投入口を開閉する扉と、
前記投入口のメダル投入位置よりも手前の位置において前記メダルの有無を検出するセンサと、
前記センサが前記メダルを検出すると、前記扉を開く制御装置と、
前記扉を介して前記投入口を通過した後の前記メダルの枚数を計数する計数装置と、
を備えたことを特徴とするメダル計数機。
【請求項２】
前記投入口から前記計数装置まで前記メダルを搬送する搬送路と、
前記搬送路に形成される送風孔と、
前記送風孔を介して前記搬送路の上側から下側へ送風する送風装置と、
を備えたことを特徴とする請求項１に記載のメダル計数機。
【請求項３】
前記送風装置は、前記センサが前記メダルを検出したことを契機として送風を開始する
ことを特徴とする請求項２に記載のメダル計数機。
【請求項４】
前記送風孔と前記送風装置は、前記投入口の近傍に設けられる
ことを特徴とする請求項２又は３に記載のメダル計数機。
【請求項５】
前記送風孔は、前記搬送路の搬送方向と交差する方向に沿って複数形成される
ことを特徴とする請求項２乃至４の何れかに記載のメダル計数機。
【請求項６】
前記送風孔と対向する前記搬送路の下側の位置に配設される塵埃収容箱
を備えたことを特徴とする請求項２乃至５の何れかに記載のメダル計数機。
【請求項７】
前記扉を介して前記投入口を通過した後の前記メダルの真偽を判定する判定装置、を備え、
前記制御装置は、前記判定装置が偽と判定する前記メダルの枚数が所定枚数以上になると、前記センサの検出結果に関わらず前記扉を閉じる
ことを特徴とする請求項１に記載のメダル計数機。
【請求項８】
前記扉を介して前記投入口を通過した後の前記メダルの真偽を判定する判定装置、を備え、
前記制御装置は、前記判定装置が偽と判定する前記メダルの枚数が所定枚数以上になると、メダル計数機を管理するコンピュータに対して警告信号を出力する
ことを特徴とする請求項１に記載のメダル計数機。
【請求項９】
前記判定装置が偽と判定する前記メダルを回収するメダル回収箱
を内部に備えたことを特徴とする請求項７又は８に記載のメダル計数機。
【請求項１０】
前記制御装置は、遊技機に投入された前記メダルの第１枚数よりも、メダル貸出装置から貸し出された前記メダルの枚数と前記遊技機から排出された前記メダルの枚数との合計の枚数である第２枚数の方が多い場合であって、更に、前記計数装置の計数値が前記第１枚数及び前記第２枚数の差分値よりも大きい場合、前記センサの検出結果に関わらず前記扉を閉じる
ことを特徴とする請求項１に記載のメダル計数機。
【請求項１１】
前記制御装置は、遊技機に投入された前記メダルの第１枚数よりも、メダル貸出装置から貸し出された前記メダルの枚数と前記遊技機から排出された前記メダルの枚数との合計の枚数である第２枚数の方が多い場合であって、更に、前記計数装置の計数値が前記第１枚数及び前記第２枚数の差分値よりも大きい場合、メダル計数機を管理するコンピュータに対して警告信号を出力する
ことを特徴とする請求項１に記載のメダル計数機。
【発明の詳細な説明】
【技術分野】
【０００１】
本発明は、メダル計数機に関する。
【背景技術】
【０００２】
特許文献１において、例えば、遊技用のメダルの投入枚数を計数するメダル計数機が開示されている。
【先行技術文献】
【特許文献】
【０００３】
【特許文献１】特開２００８−６１９９５号公報
【発明の概要】
【発明が解決しようとする課題】
【０００４】
例えば、特許文献１に開示されるメダル計数機の投入口に、メダル以外の異物が投入された場合、当該異物を排出できずに、メダル計数機の故障が引き起こされる虞がある。
【課題を解決するための手段】
【０００５】
前述した課題を解決する主たる本発明は、遊技用のメダルが投入される投入口と、前記投入口を開閉する扉と、前記投入口のメダル投入位置よりも手前の位置において前記メダルの有無を検出するセンサと、前記センサが前記メダルを検出すると、前記扉を開く制御装置と、前記扉を介して前記投入口を通過した後の前記メダルの枚数を計数する計数装置と、を備えたことを特徴とするメダル計数機である。
【０００６】
本発明の他の特徴については、添付図面及び本明細書の記載により明らかとなる。
【発明の効果】
【０００７】
本発明によれば、メダル以外の異物がメダル計数機内に投入されるのを防止できる。
【図面の簡単な説明】
【０００８】
【図１】本発明の第１乃至第３実施形態における複数の台間機と遊技機とを示す斜視図である。
【図２】本発明の第１乃至第３実施形態における台間機と遊技機とを示す斜視図である。
【図３】本発明の第１実施形態における台間機の内部を示す図である。
【図４】本発明の第１実施形態における傾斜板を示す平面図である。
【図５】本発明の第１実施形態における、扉を開いた状態の台間機の内部を示す図である。
【図６】本発明の第１実施形態に用いられるメダルを容器へ振り分ける際の振分装置を示す斜視図である。
【図７】本発明の第１実施形態に用いられるメダルを開口へ振り分ける際の振分装置を示す斜視図である。
【図８】本発明の第１乃至第３実施形態における制御装置の機能を示すブロック図である。
【図９】本発明の第２及び第３実施形態における台間機、管理装置、遊技機を示す図である。
【図１０】本発明の第１実施形態における台間機の動作を示すフローチャートである。
【図１１】本発明の第２実施形態における台間機の動作を示すフローチャートである。
【図１２】本発明の第３実施形態における台間機の動作を示すフローチャートである。
【発明を実施するための形態】
【０００９】
本明細書および添付図面の記載により、少なくとも以下の事項が明らかとなる。
【００１０】
[第１実施形態]
＝＝＝台間機＝＝＝
以下、図１、図２を参照して、本実施形態における台間機について説明する。図１は、本実施形態における複数の台間機と遊技機とを示す斜視図である。図２は、本実施形態における台間機と遊技機とを示す斜視図である。尚、図２は、側面板２ｂが取り外された状態の台間機２００を示している。図２は、扉２７が閉じられた状態の台間機２００を示している。蝶番２３１は、見えない状態となっているが、説明の便宜上、点線で示されている。
【００１１】
台間機２００（メダル計数機）は、遊技機１００で使用されるメダルＭＤ（図３）を貸し出したり、台間機２００内に投入されたメダルＭＤの枚数を計数したりする機能を兼ね備えた装置であることとする。尚、本実施形態において、Ｚ軸は、台間機２００が立設する垂直方向に沿う軸であり、上側に向かう方向を＋Ｚとし、下側に向かう方向を−Ｚとする。Ｙ軸は、台間機２００の正面板２ａと背面板２ｃとに直交する方向に沿う軸であり、正面板２ａから背面板２ｃに向かう方向を＋Ｙとし、背面板２ｃから正面板２ａに向かう方向を−Ｙとする。Ｘ軸は、台間機２００と遊技機１００とが隣接する方向に沿う軸であり、一方に向かう方向を＋Ｘとし、他方に向かう方向を−Ｘとする。
【００１２】
台間機２００と、例えばスロットマシン等の遊技機１００は、遊技場（不図示）内に複数台交互に隣接するように設置される。台間機２００は、筐体２、カード挿入口２１、タッチパネル２２、錠２３、トレイ２５、２６、ユニット２０１、計数ユニット２０３、ホッパ２０２を有している。
【００１３】
筐体２は、略矩形柱形状を呈する。筐体２は、内部にユニット２０１、計数ユニット２０３、ホッパ２０２を収容できるように、中空構造となっている。筐体２の正面板２ａには、カード挿入口２１、タッチパネル２２、錠２３、トレイ２５、２６が設けられる。
【００１４】
トレイ２６は、開口２６ａ（投入口）から筐体２内へメダルＭＤが投入されるように、開口２６ａの手前側（−Ｙ方向）に連続して設けられる。尚、開口２６ａは、メダルＭＤの枚数を計数するために、メダルＭＤを筐体２内に投入するための孔である。開口２６ａから筐体２内に投入されたメダルＭＤは、計数ユニット２０３によって計数される。計数ユニット２０３については、後述する。
【００１５】
トレイ２５は、筐体２内から開口２５ａを介して排出されたメダルＭＤを収容するための容器である。開口２５ａは、台間機２００から貸し出されるメダルＭＤを筐体２の外部へ排出するための孔である。開口２５ａは、例えば、開口２６ａよりも上側に設けられる。トレイ２５は、開口２５ａから排出されるメダルＭＤがトレイ２５内に収容されるように、開口２５ａの手前側に連続して設けられる。
【００１６】
カード挿入口２１は、台間機２００で計数されたメダルＭＤの枚数を示す情報が記憶される、例えばＩＣカードを挿入するための孔である。尚、例えば、カード挿入口２１に挿入されたＩＣカードには、ユニット２０１内の書込装置（不図示）によって、メダルＭＤの枚数を示す情報が書き込まれるものとする。
【００１７】
タッチパネル２２には、例えば、台間機２００の上側に設けられるビルバリ（不図示）に投入された金銭の額に基づいて、メダルＭＤを貸し出すための貸出釦のイメージが表示される。
【００１８】
錠２３は、正面板２ａの開閉を禁止したり許可したりするために正面板２ａに設けられる。ここで、正面板２ａは、例えば、略矩形形状を呈する平板であり、正面板２ａの他方側の縁が、側面板２ｅにおける正面側（−Ｙ）の縁に、複数の蝶番２３１によって取り付けられている。つまり、正面板２ａは、正面板２ａの他方側の縁における複数の蝶番２３１を軸に、開閉自在に筐体２に取り付けられている。例えば、正面板２ａを閉じた状態で、鍵２４を用いて錠２３を施錠した場合、正面板２ａは開けない状態となる。又、例えば、鍵２４を用いて錠２３を開錠した場合、正面板２ａは開閉できる状態となる。
【００１９】
ホッパ２０２は、内部にメダルＭＤが貯留される容器である。例えば、ビルバリに金銭が投入された後、タッチパネル２２上に表示された貸出釦が押下された場合、ビルバリに投入された金銭に基づく枚数のメダルＭＤが、ホッパ２０２から開口２５ａを介して筐体２外へ排出される。開口２５ａから排出されたメダルＭＤは、トレイ２５内に収容されることとなる。
【００２０】
＝＝＝計数ユニット＝＝＝
以下、図３、図４を参照して、本実施形態における計数ユニットについて説明する。図３は、本実施形態における台間機の内部を示す図である。図４は、本実施形態における傾斜板を示す平面図である。
【００２１】
計数ユニット２０３（図２）は、開口２６ａから投入されたメダルＭＤの真偽を判定したり、当該メダルＭＤの枚数を計数したりする装置である。
【００２２】
計数ユニット２０３は、センサ３１、扉２７、羽根車４、送風装置５、制御装置９、判定装置６０、計数装置６０ｃ、搬送装置６、振分装置７、容器４５（塵埃収容箱）、容器４６（メダル回収箱）を有している。尚、メダルＭＤを、開口２６ａから計数装置６０ｃまでの搬送するための、傾斜板２８、搬送ベルト６２の上面、基台６１における正面側の縁から計数装置６０ｃまでの一部、搬送ベルト６３の下面における正面側の縁から計数装置６０ｃと対向する位置までの一部が、搬送路に相当する。
【００２３】
センサ３１は、開口２６ａよりも手前（−Ｙ）の位置においてメダルＭＤの有無を検出する、例えば、磁気センサである。センサ３１は、傾斜板２８の下面（−Ｚ）に取り付けられる。ここで、傾斜板２８は、トレイ２６内のメダルＭＤを筐体２内へ搬送するための、例えば略矩形形状を呈する平板である。傾斜板２８は、傾斜板２８の正面側（−Ｙ）の縁の高さが、傾斜板２８の背面側（＋Ｙ）の縁の高さよりも高くなるように、開口２６ａに挿通された状態で、筐体２に取り付けられる。傾斜板２８は、傾斜板２８の正面側の縁が、トレイ２６の内側面２６ｂに当接し、且つ、傾斜板２８の背面側の縁が、筐体２の内部に配設されるように、筐体２に取り付けられるものとする。よって、傾斜板２８の上面（＋Ｚ）の高さは、正面側から背面側に向かうにつれて低くなっている。傾斜板２８は、傾斜板２８の背面側の一部が略水平となるように折り曲げられた形状を呈する。よって、トレイ２６内に収容されたメダルＭＤは、自重によって傾斜板２８上を流下して筐体２の内部へ搬送されることとなる。尚、例えば、傾斜板２８は、トレイ２６及び筐体２と一体的に形成されるものとしてもよい。傾斜板２８には、溝２８１、孔２８２（図４）が形成される。溝２８１は、扉２７を閉じた際に、扉２７の下側（−Ｚ）の縁が嵌まるように、傾斜板２８の上面における扉２７の下側の縁と対向する位置に形成される。尚、扉２７については、後述する。溝２８１は、例えば、正面板２ａと平行となりＸ軸に沿うように、傾斜板２８の上面に形成される。孔２８２は、傾斜板２８の上面側から下面側に送風するための送風孔である。つまり、孔２８２は、傾斜板２８の上側から下側に送風するための孔である。尚、送風については、後述する。又、孔２８２は、溝２８１の近傍に形成される。孔２８２は、傾斜板２８における溝２８１よりも下流側（＋Ｙ）に形成される。つまり、孔２８２は、開口２６ａの近傍に設けられることとなる。孔２８２の径は、メダルＭＤの下流側への搬送が規制されないように、メダルＭＤの径よりも十分に小さくなるように設定されているものとする。孔２８２は、例えば、メダルＭＤが傾斜板２８上を流下する方向と交差する溝２８１に沿って複数形成される。尚、例えば、孔２８２の個数は一つであってもよい。孔２８２の形状は、例えば、略円形状であっても、長孔形状であっても、略矩形形状であってもよい。センサ３１は、例えば、傾斜板２８上の扉２７よりも上流側（−Ｙ）における開口２６ａの近傍の位置に、メダルＭＤが有るか否かを検出できるように、溝２８１よりも上流側における、傾斜板２８の下面に設けられる。例えば、センサ３１がメダルＭＤを検出した場合、センサ３１は、検出信号を出力するものとする。一方、例えば、センサ３１がメダルＭＤを検出しない場合、センサ３１は、検出信号を出力しないものとする。
【００２４】
扉２７は、開口２６ａを開閉するための、例えばシャッターである。扉２７は、ソレノイド装置２７１によって開閉する。尚、扉２７については、後述する。
【００２５】
送風装置５は、孔２８２を介して、空気を傾斜板２８の上面側から下面側へ送風する装置である。つまり、送風装置５は、孔２８２を介して、空気を傾斜板２８の上側から下側へ送風する装置である。尚、送風装置５については、後述する。
【００２６】
羽根車４は、傾斜板２８上を傾斜板２８における下流側の端まで流下してきたメダルＭＤを、搬送ベルト６２上に案内するための装置である。羽根車４は、複数の羽根４１、回転軸４２を有する。回転軸４２は、筐体２の側面板２ｂ及び側面板２ｅと直交する方向（Ｘ軸）に沿うように、搬送ベルト６２及び傾斜板２８よりも上側に設けられる。羽根４１は、メダルＭＤを、傾斜板２８上の下流側の端から、搬送ベルト６２上へ案内するための部材であり、回転軸４２から放射状にのびるような形状を呈する。尚、羽根４１の先端は、例えば、回転軸４２を中心に羽根車４が回転して羽根４１の先端と傾斜板２８の上面とが接触した際に、羽根車４の回転が止まらないように、例えばゴム等の弾性材を用いて形成してもよい。ここで、回転軸４２には、羽根車４が回転軸４２を中心に＋Ｘ方向から−Ｘ方向に向かって見て反時計回り方向（以下、「Ａ１方向」と称する）に回転するように、モータ（不図示）（以下、「羽根車４のモータ」と称する）から回転駆動力が加えられるものとする。羽根車４のモータの起動及び停止は夫々、制御装置９から送信される起動信号及び停止信号によって制御されるものとする。例えば、羽根車４が回転軸４２を中心にＡ１方向に回転した場合、傾斜板２８上の下流側の端まで流下してきたメダルＭＤの正面側の縁は、羽根４１の先端における背面側の面によって、正面側から背面側に向かって押されることとなる。よって、メダルＭＤは羽根４１によって、搬送ベルト６２上に載置されるように、正面側から背面側に向かってくりだされることとなる。つまり、傾斜板２８上の下流側の端まで流下してきたメダルＭＤは、羽根車４よって正面側から背面側に向かって案内されて、搬送ベルト６２上に搬送されることとなる。
【００２７】
判定装置６０は、メダルＭＤの真偽を判定する装置である。メダルＭＤの真偽の判定とは、メダルＭＤが遊技機１００用のメダルであるか否かを判定することである。判定装置６０は、例えば、基台６１上を正面側から背面側へ搬送されるメダルＭＤ夫々の一方の面を撮影するためのＣＣＤカメラ（不図示）を有し、当該ＣＣＤカメラによって撮影されたメダルＭＤの画像に基づいて、メダルＭＤの真偽を判定する。尚、メダルＭＤの搬送については、後述する。尚、例えば、判定装置６０は、基台６１上のメダルＭＤを検出する磁気センサ（不図示）を有し、当該磁気センサの出力に基づいて、メダルＭＤの真偽を夫々判定することとしてもよい。判定装置６０は、基台６１上を正面側から背面側へ搬送される各メダルＭＤの真偽を示す判定信号を出力するものとする。
【００２８】
計数装置６０ｃは、メダルＭＤの枚数を計数する装置である。計数装置６０ｃは、例えば、基台６１上を正面側から背面側へ搬送されるメダルＭＤを検出する磁気センサ（不図示）を有し、当該磁気センサの出力に基づいて、メダルＭＤの枚数を計数するものとする。計数装置６０ｃは、メダルＭＤの枚数を計数した結果を示す計数信号を出力するものとする。
【００２９】
搬送装置６は、投入口２６ａに投入されたメダルＭＤを、計数装置６０ｃへ搬送した後、当該メダルＭＤを振分装置７へ搬送する装置である。尚、搬送装置６については、後述する。
【００３０】
振分装置７は、判定装置６０の判定結果に基づいて、メダルＭＤを、容器４６又は開口２１ａに振り分ける装置である。尚、振分装置７については、後述する。
【００３１】
容器４６は、判定装置６０で偽と判定されたメダルＭＤ（以下、「偽メダル」称する）を回収するための箱である。容器４６は、例えば、搬送ベルト６５と反対側（−Ｙ）で振分装置７と隣接するように、筐体２内の正面側に配設される。容器４６は、例えば、正面板２ａを開いて、筐体２外へ取り出せるように、配設されているものとする。容器４６における振分装置７と対向する背面側の側面には、振分装置７で振り分けられた偽メダルが容器４６内に投入される開口４６ａが設けられている。
【００３２】
開口２１ａは、判定装置６０で真と判定されたメダルＭＤ（以下、「真メダル」と称する）を筐体２の下側に排出するために、底板２ｄに形成された孔である。開口２１ａは、筐体２の下側に配設されているメダル回収路（不図示）に通じているものとする。尚、メダル回収路中のメダルＭＤは、各台間機２００に対して投入されたメダルＭＤを回収するためのメダル回収装置（不図示）へ搬送されるものとする。
【００３３】
容器４５は、孔２８２を介して傾斜板２８の上側から下側へ落下する塵埃を収容するための箱である。容器４５は、上側に開口が形成されており、孔２８２を介して落下する塵埃を容器４５内へ収容できるように、傾斜板２８における孔２８２の下側に配設される。つまり、容器４５は、孔２８２と対向する傾斜板２８の下側の位置に配設されることとなる。容器４５は、例えば、正面板２ａを開いて、筐体２外へ取り出せるように、配設されているものとする。尚、例えば、容器４５は、容器４６上に載置されていることとしてもよい。
【００３４】
制御装置９は、扉２７、送風装置５、羽根車４、搬送装置６、振分装置７を制御するための装置である。尚、制御装置９については、後述する。
【００３５】
＝＝＝扉＝＝＝
以下、図３、図５を参照して、本実施形態における扉について説明する。図５は、本実施形態における、扉を開いた状態の台間機の内部を示す図である。
【００３６】
扉２７は、例えば、略矩形形状を呈する平板である。扉２７は、開口２６ａを開閉するように、正面板２ａと平行な状態で筐体２の内部に設けられる。扉２７の垂直方向（Ｚ軸）の幅、及び、扉２７のＸ軸方向の幅は夫々、扉２７を下側（−Ｚ）に移動させたときに開口２６ａを塞ぐことができるように、開口２６ａの垂直方向の幅、及び、開口２６ａのＸ軸方向の幅よりも長くなるように設定されている。扉２７は、扉２７を下側に移動させたときに扉２７の下側の縁が溝２８１に嵌るように、筐体２の内部に設けられる。扉２７は、ソレノイド装置２７１から伝達される駆動力によって、垂直方向に沿って上側（＋Ｚ）又は下側へ移動できるように、リンク部材（不図示）を介してソレノイド装置２７１と連結される。ソレノイド装置２７１は、制御装置９によって制御される。例えば、制御装置９から送信される開信号をソレノイド装置２７１が受信したとき、ソレノイド装置２７１内のソレノイド（不図示）が通電されることとする。そのとき、ソレノイド装置２７１は、扉２７を上側へ移動させる駆動力を扉２７へ伝達するものとする。又、例えば、制御装置９から送信される閉信号をソレノイド装置２７１が受信したときに、ソレノイド装置２７１内のソレノイドに供給される電流は遮断されることとする。そのとき、ソレノイド装置２７１は、扉２７を下側へ移動させる駆動力を扉２７へ伝達するものとする。尚、開信号、閉信号については、後述する。
【００３７】
例えば、扉２７を上側へ移動させる駆動力が伝達された場合、扉２７は、上側に移動する。このとき、トレイ２６内のメダルＭＤが開口２６ａから筐体２の内部に投入されるように、扉２７は開くこととなる。例えば、扉２７を下側へ移動させる駆動力が伝達された場合、扉２７は、扉２７の下側の縁が溝２８１に嵌るように、下側に移動する。このとき、トレイ２６内のメダルＭＤを開口２６ａから筐体２の内部に投入できないように、扉２７は閉じることとなる。更に、扉２７の下側の縁が溝２８１に嵌っているので、例えば、扉２７に対して正面側から背面側（＋Ｙ）側に向って加えられる力によって、開口２６ａが強制的に開かれるのを防止できる。つまり、扉２７を閉じた場合、開口２６ａから筐体２内に例えば異物を挿入する等の悪戯を確実に防止できることとなる。
【００３８】
＝＝＝送風装置＝＝＝
以下、図３、図５を参照して、本実施形態における送風装置について説明する。
【００３９】
送風装置５は、孔２８２を介して、コンプレッサ（不図示）で圧縮された空気を傾斜板２８の上面側（＋Ｚ）から下面側（−Ｚ）へ送風する装置である。
【００４０】
送風装置５は、ノズル５１、チューブ５２、５３、５４、電磁バルブ５５、コネクタ５６、５４ｂを有する。
【００４１】
ノズル５１は、先端から空気を噴射する装置である。ノズル５１は、傾斜板２８の上面側から孔２８２に向かって空気を噴射できるように、傾斜板２８の上側に設けられる。ノズル５１は、例えば、開口２６ａから筐体２内に入り込む塵埃や煙が、羽根車４、搬送装置６、判定装置６０、計数装置６０ｃ等に付着するのを防止するために、当該塵埃や煙をノズル５１から噴射される空気とともに孔２８２の下面側に排出できるように、開口２６ａの近傍に設けられる。ノズル５１における傾斜板２８からの垂直方向（Ｚ軸）の高さは、傾斜板２８上を流下するメダルＭＤと干渉しないような高さに設定される。尚、例えば、ノズル５１は、ノズル５１の先端から噴射される空気によって、ＸＺ平面に略沿ったエアカーテンが形成されるように、Ｘ軸に沿って傾斜板２８に形成された複数の孔２８２と対向するように、複数設けてもよい。
【００４２】
チューブ５２、５３、５４は、コンプレッサから出力された空気をノズル５１、エアカーテン装置（不図示）へ送るための空気用の配管である。尚、コンプレッサとは、例えば、塵埃等の不純物を取り除かれた空気を、送風装置５、エアカーテン装置に供給する装置である。エアカーテン装置とは、例えば、遊技機１００（図１）で遊技する遊戯者の煙草の煙を遮断するためのエアカーテンを形成する装置である。エアカーテン装置は、例えば、遊技機１００と台間機２００との間に、垂直方向に沿って設けられている正面側（−Ｙ）に向かって空気を吹き出すための空気吹出口（不図示）を有し、遊技機１００と台間機２００との間に設置される。チューブ５２、５３の一方側の端部は夫々、ノズル５１、エアカーテン装置に接続される。チューブ５２、５３の他方側の端部は、コネクタ５６内で合流している。チューブ５４の一方側の端部はコンプレッサに接続され、チューブ５４の他方側の端部はコネクタ５４ｂに接続される。コネクタ５４ｂ、５６は、チューブ５２、５３とチューブ５４とを接続するための装置である。コネクタ５６は、背面板２ｃにおける凹部５４ａが形成されている位置に、コネクタ５６の背面側（＋Ｙ）の端部が背面側に向かって突出するように、取り付けられる。尚、背面板２ｃにおける凹部５４ａが形成されている位置には、コネクタ５６の背面側の端部を挿通するための挿通孔が形成されているものとする。コネクタ５４ｂは、コネクタ５４ｂに取り付けられたチューブ５４の他端と、コネクタ５６内で合流するチューブ５２、５３の他端とが接続されるように、コネクタ５６の背面側の端部に接続される。コンプレッサから出力された空気は、コネクタ５６内で分岐されてチューブ５２、５３夫々に供給されることとなる。
【００４３】
電磁バルブ５５は、ノズル５１の空気の噴射を制御するための装置である。電磁バルブ５５は、チューブ５２内の空気の流路を開閉するために、チューブ５２の所定位置に設けられる。電磁バルブ５５は、制御装置９によって制御される。電磁バルブ５５は、制御装置９から送信される噴射開始信号を受信したときに、コンプレッサから出力された空気がノズル５１に供給されるように、チューブ５２の流路を開くものとする。又、電磁バルブ５５は、制御装置９から送信される噴射停止信号を受信したときに、コンプレッサから出力された空気がノズル５１に供給されないように、チューブ５２の流路を閉じるものとする。
【００４４】
例えば、電磁バルブ５５を開いた場合、コンプレッサから出力される空気は、チューブ５４、５２を介してノズル５１の先端から噴射される。一方、例えば、電磁バルブ５５を閉じた場合、コンプレッサからノズル５１への空気の供給は遮断されて、ノズル５１の先端から空気が噴射されないこととなる。
【００４５】
＝＝＝搬送装置＝＝＝
以下、図３を参照して、本実施形態における搬送装置について説明する。  
搬送装置６は、投入口２６ａに投入されたメダルＭＤを、計数装置６０ｃへ搬送した後、当該メダルＭＤを振分装置７へ搬送する装置である。  
搬送装置６は、基台６１、ベルト装置６２ｃ、６３ｃ、６４ｃ、６５ｃ、ローラ６６１、モータＭ１、Ｍ２、Ｍ３を有している。
【００４６】
基台６１には、判定装置６０、計数装置６０ｃが設けられる。基台６１は、例えば、基台６１の上面（＋Ｚ）の高さが、傾斜板２８における折曲げられた背面側（＋Ｙ）側の一部の上面の高さと略同様となるように、傾斜板２８よりも背面側に配設される。基台６１は、基台６１と傾斜板２８との間にベルト装置６２ｃを配設できるように、傾斜板２８から離れた位置に配設される。基台６１の上面は、例えば、略水平となるように形成される。基台６１の上面は、例えば、基台６１上をメダルＭＤが滑って搬送されるように、メダルＭＤとの摩擦係数が比較的小さい材料を用いて形成される。
【００４７】
ベルト装置６２ｃは、メダルＭＤを基台６１上に搬送するための装置である。ベルト装置６２ｃは、搬送ベルト６２、ローラ６２１、６２２を有する。搬送ベルト６２は、例えば、表面にゴム等を被覆して、メダルＭＤとの摩擦係数が比較的大きくなるように形成された平ベルトである。搬送ベルト６２は、ローラ６２１、６２２に掛け渡されている。ローラ６２１、６２２は、搬送ベルト６２を支持すると共に、搬送ベルト６２を動かすための回転ローラである。ローラ６２１、６２２のうち、何れか一方に、モータＭ１から回転駆動力が伝達される。ローラ６２１、６２２は夫々、Ｘ軸に沿った回転軸６２３、６２４を中心に、＋Ｘ方向から−Ｘ方向に向かって見て時計回り方向（以下、「Ａ２方向」と称する）に回転する。ローラ６２１、６２２のうち、モータＭ１から回転駆動力が伝達される一方のローラが主プーリとして機能し、他方のローラが従プーリとして機能するので、ローラ６２１、６２２の回転速度は、相互に同様な回転速度となる。尚、モータＭ１の起動及び停止は、例えば、制御装置９によって制御されるものとする。ローラ６２１、６２２は、搬送ベルト６２の上面の高さが基台６１の上面と高さと同様となり、且つ、搬送ベルト６２の上面が略水平となるように、筐体２内における基台６１と傾斜板２８との間に設けられる。ローラ６２１、６２２は夫々、傾斜板２８、基台６１の近傍に設けられる。尚、搬送ベルト６２の上面における正面側の縁と、傾斜板２８における背面側の縁との間の隙間、及び、搬送ベルト６２の上面における背面側の縁と、基台６１における正面側の縁との間の隙間から、メダルＭＤが落下しないように、ローラ６２１、６２２の位置は設定されているものとする。ローラ６２１、６２２が夫々、回転軸６２３、６２４を中心にＡ２方向に回転した場合、搬送ベルト６２の上面は、正面側から背面側に移動することとなる。よって、羽根車４によって搬送ベルト６２の上面に案内されたメダルＭＤは、搬送ベルト６２によって基台６１上に搬送される。
【００４８】
ローラ６６１は、搬送ベルト６２によって基台６１上に搬送されるメダルＭＤを、１枚ずつ横倒させた状態で整列させるための回転ローラである。ローラ６６１は、例えば、ローラ６２２の上側に設けられる。ローラ６６１は、ローラ６６１と搬送ベルト６２の上面との間の隙間の垂直方向の幅が、メダルＭＤの一枚分の厚さよりも大きく、且つ、メダルＭＤの２枚分の厚さよりも小さくなるように設けられる。ローラ６６１は、モータＭ１の回転駆動力をうけて、Ｘ軸に沿った回転軸６６３を中心に、Ａ２方向に回転する。例えば、２枚以上重なった状態のメダルＭＤが、搬送ベルト６３によって正面側から背面側に搬送されてきた場合、最下段のメダルＭＤ以外のメダルは、ローラ６６１によって正面側に蹴り返されて、最下段のメダルＭＤのみが基台６１上に搬送されることとなる。
【００４９】
ベルト装置６３ｃは、基台６１上のメダルＭＤを正面側から背面側に搬送するための装置である。ベルト装置６３ｃは、搬送ベルト６３、ローラ６３１、６３２、６３５を有する。搬送ベルト６３は、例えば、搬送ベルト６２と同様な形状、材質のベルトである。搬送ベルト６３は、ローラ６３１、６３２、６３５に掛け渡されている。ローラ６３１、６３２、６３５は、搬送ベルト６２を支持すると共に、搬送ベルト６３を動かすための回転ローラである。ローラ６３１、６３２のうち、何れか一方に、モータＭ２から回転駆動力が伝達される。ローラ６３１、６３２、６３５は夫々、Ｘ軸に沿った回転軸６３３、６３４、６３６を中心に、Ａ１方向に回転する。ローラ６３１、６３２のうちモータＭ２から回転駆動力が伝達される一方のローラが主プーリとして機能し、他方のローラが従プーリとして機能することとなる。尚、ローラ６３５も従プーリとして機能することとなる。
【００５０】
よって、ローラ６３１、６３２、６３５の回転速度は、相互に同様な回転速度となる。尚、モータＭ２の起動及び停止は、例えば、制御装置９によって制御されるものとする。ローラ６３１、６３２は夫々、基台６１における正面側の縁の上側、基台６１における背面側の縁の上側に設けられる。ローラ６３５は、ローラ６３１、６３２の略中央に設けられる。ローラ６３１、６３２、６３５は、搬送ベルト６３の下面が基台６１の上面と対向した状態で略平行となるように、筐体２内に設けられる。ローラ６３１、６３２、６３５は、搬送ベルト６３の下面と基台６１の上面との間に挟まれたメダルＭＤが、搬送ベルト６３の下面とメダルＭＤの上面との間の摩擦力によって、基台６１上を正面側から背面側に滑って移動するように、設けられる。例えば、ローラ６３１、６３２、６３５が夫々、回転軸６３３、６３４、６３６を中心にＡ１方向に回転した場合、搬送ベルト６２の下面は、正面側から背面側に移動することとなる。よって、基台６１上のメダルＭＤは、搬送ベルト６３の下面と基台６１との間に挟まれた状態で、基台６１上を滑るように正面側から背面側へ搬送される。その後、当該メダルＭＤは、基台６１上における背面側の縁から搬送ベルト６４の上面に落下することとなる。
【００５１】
ベルト装置６４ｃ、６５ｃは、基台６１の背面側の縁から搬送ベルト６４の上面に落下したメダルＭＤを振分装置７へ搬送するための装置である。ベルト装置６４ｃ、６５ｃは、基台６１の下側における、振分装置７と背面板２ｃとの間に設けられる。ベルト装置６５ｃは、例えば、振分装置７とベルト装置６４ｃとの間に設けられる。
【００５２】
ベルト装置６４ｃは、搬送ベルト６４、ローラ６４１、６４２を有する。搬送ベルト６４は、例えば、搬送ベルト６２と同様な形状、材質のベルトである。搬送ベルト６４は、ローラ６４１、６４２に掛け渡されている。ローラ６４１、６４２は、搬送ベルト６４を支持すると共に、搬送ベルト６４を動かすための回転ローラである。ローラ６４１、６４２のうち、何れか一方に、モータＭ３から回転駆動力が伝達される。ローラ６４１、６４２は夫々、回転軸６４３、６４４を中心に、Ａ１方向に回転する。ローラ６４１、６４２のうち、モータＭ３から回転駆動力が伝達される一方のローラが主プーリとして機能し、他方のローラが従プーリとして機能するので、ローラ６４１、６４２の回転速度は、相互に同様な回転速度となる。尚、モータＭ３の起動及び停止は、例えば、制御装置９によって制御されるものとする。ローラ６４１は、ローラ６３２よりも背面側であり、且つ、基台６１よりも下側に設けられる。ローラ６４２は、ローラ６４１よりも正面側であり、且つ、基台６１及びローラ６４１よりも下側に設けられる。尚、基台６１には、基台６１と搬送ベルト６４の上面との間に、メダルＭＤを搬送するための隙間ができるように、傾斜６１ｄが形成されているものとする。ローラ６４１、６４２が夫々、Ｘ軸に沿った回転軸６４３、６４４を中心にＡ１方向に回転した場合、搬送ベルト６４の上面は、背面側から正面側に移動することとなる。よって、搬送ベルト６４の上面に落下したメダルＭＤは、搬送ベルト６４によって正面側に搬送される。
【００５３】
ベルト装置６５ｃは、搬送ベルト６５、ローラ６５１、６５２を有する。搬送ベルト６５は、例えば、搬送ベルト６２と同様な形状、材質のベルトである。搬送ベルト６５は、ローラ６５１、６５２に掛け渡されている。ローラ６５１、６５２は、搬送ベルト６５を支持すると共に、搬送ベルト６５を動かすための回転ローラである。ローラ６５１、６５２のうち、何れか一方に、モータＭ３から回転駆動力が伝達される。ローラ６５１、６５２は夫々、Ｘ軸に沿った回転軸６５３、６５４を中心に、Ａ１方向に回転する。ローラ６５１、６５２のうち、モータＭ３から回転駆動力が伝達される一方のローラが主プーリとして機能し、他方のローラが従プーリとして機能するので、ローラ６５１、６５２の回転速度は、相互に同様な回転速度となる。ローラ６５１、６５２は、ローラ６５１、６５２の高さが、ローラ６４２と同様な高さとなるように、筐体２内に設けられる。搬送ベルト６５の上面における背面側の縁と、搬送ベルト６５の上面における正面側の縁との間の隙間から、メダルＭＤが落下しないように、ローラ６５１は、ローラ６４２の近傍に設けられているものとする。尚、ローラ６５１、６５２は、基台６１と搬送ベルト６５の上面との間に、メダルＭＤを搬送するための隙間ができるように、筐体２内に設けられているものとする。ローラ６５１、６５２が夫々、回転軸６５３、６５４を中心にＡ１方向に回転した場合、搬送ベルト６５の上面は、背面側から正面側に移動することとなる。よって、搬送ベルト６５上のメダルＭＤは、搬送ベルト６５によって振分装置７内へ搬送される。
【００５４】
尚、例えば、搬送ベルト６３、６４、６５が同様な移動速度となり、搬送ベルト６２が搬送ベルト６３よりも遅い移動速度となるように、モータＭ１、Ｍ２、Ｍ３の回転駆動力を調整してよい。
【００５５】
＝＝＝振分装置＝＝＝
以下、図６、図７を参照して、本実施形態における振分装置について説明する。図６は、本実施形態に用いられるメダルを容器へ振り分ける際の振分装置を示す斜視図である。図７は、本実施形態に用いられるメダルを開口へ振り分ける際の振分装置を示す斜視図である。
【００５６】
振分装置７は、メダルＭＤを、容器４６又は開口２１ａに振り分ける装置である。振分装置７は、ベルト装置７１ｃ、平板７２、案内部材７３、ソレノイド装置７４、レバー７５を有する。
【００５７】
平板７２は、搬送ベルト６５によって搬送されたメダルＭＤが載置される、例えば略矩形形状の部材である。平板７２は、例えば、平板７２上をメダルＭＤが滑って搬送されるように、メダルＭＤとの摩擦係数が比較的小さい材料によって形成される。平板７２は、略水平とされた状態で、平板７２の上面（＋Ｚ）の高さが搬送ベルト６５（図３）の上面の高さと同様となるように、筐体２内におけるローラ６５２よりも正面側（−Ｙ）に設けられる。尚、平板７２は、平板７２における背面側（＋Ｙ）の縁と、搬送ベルト６５の上面における正面側の縁との間の隙間から、メダルＭＤが落下しないように、ベルト装置６５ｃの近傍に設けられる。
【００５８】
ベルト装置７１ｃは、平板７２上のメダルＭＤを背面側（＋Ｙ）から正面側（−Ｙ）に搬送するための装置である。ベルト装置７１ｃは、搬送ベルト７１、ローラ７１１、７１２を有する。搬送ベルト７１は、例えば、搬送ベルト６２と同様な形状、材質のベルトである。搬送ベルト７１は、ローラ７１１、７１２に掛け渡されている。ローラ７１１、７１２は、搬送ベルト７１を支持すると共に、搬送ベルト７１を動かすための回転ローラである。ローラ７１１、７１２のうち、何れか一方に、振分装置７を動作させるモータ（不図示）から回転駆動力が伝達される。ローラ７１１、７１２は夫々、Ｘ軸に沿った回転軸７１３、７１４を中心に、Ａ２方向に回転する。ローラ７１１、７１２のうち、振分装置７を動作させるモータから回転駆動力が伝達される一方のローラが主プーリとして機能し、他方のローラが従プーリとして機能するので、ローラ７１１、７１２の回転速度は、相互に同様な回転速度となる。ローラ７１１、７１２は、平板７２よりも上側に設けられる。ローラ７１１、７１２は、搬送ベルト７１の下面が平板７２の上面と対向した状態で略垂直となるように、筐体２内に設けられる。ローラ７１１、７１２は、搬送ベルト７１の下面と平板７２の上面との間に挟まれたメダルＭＤが、搬送ベルト７１の下面とメダルＭＤの上面との間の摩擦力によって、平板７２上を背面側から正面側に滑って移動するように、設けられる。例えば、ローラ７１１、７１２が夫々、回転軸７１３、７１４を中心にＡ２方向に回転した場合、搬送ベルト７１の下面は、背面側から正面側に移動することとなる。よって、平板７２上のメダルＭＤは、搬送ベルト７１の下面と平板７２との間に挟まれた状態で、平板７２上を滑るように背面側か正面側へ搬送される。
【００５９】
レバー７５は、メダルＭＤの搬送先を切り替えるための部材である。レバー７５は、回転軸７１４と平行な回動軸７６を中心に、Ｂ１方向（図６）又は、Ｂ２方向（図７）に回動できるように、筐体２内に設けられる。レバー７５は、例えば、ソレノイド装置７４が設けられる位置から、上側且つ正面側に向かって抉られるような、＋Ｘ側から−Ｘ側へ向かって見た際に、略ク字形状を呈する。案内部材７３の上側に設けられた開口７３ａを開閉できるように、レバー７５の一方側は、上側から開口７３ａを覆うように、正面側から背面側に向かって突出するような形状を呈する。レバー７５の上面は、レバー７５の上面と搬送ベルト７１の下面との間にメダルＭＤを挟んで、メダルＭＤを背面側から正面側へ搬送できるような平面形状を呈する。レバー７５の一方側の端には、回動軸７６を中心にレバー７５をＢ２方向に回動した際に、レバー７５の一方側の端と搬送ベルト７１とが干渉しないように溝７５１が形成されている。レバー７５の一方側とは反対側の他方側の下部には、回動軸７６が取り付けられる。
【００６０】
ソレノイド装置７４は、レバー７５を回動させるための装置である。ソレノイド装置７４は、レバー７５における正面側かつ上側に向かって抉られている位置に配設される。ソレノイド装置７４における可動部材７４１の先端は、例えば、レバー７５の他方側における回動軸７６が取り付けられている位置よりも上側の位置に背面側から接続される。可動部材７４１は、Ｙ軸に沿って正面側に移動したり、背面側に移動したりする、例えば棒状の部材である。可動部材７４１の移動は、制御装置９によって制御される。例えば、制御装置９から送信される真信号を受信したとき、ソレノイド装置７４内のソレノイド（不図示）が通電されることとする。そのとき、ソレノイド装置７４は、可動部材７４１を正面側に移動させることとする。又、例えば、制御装置９から送信される偽信号を受信した場合、ソレノイド装置７４内のソレノイドに供給される電流は遮断されることとする。そのとき、ソレノイド装置７４は、可動部材７４１を背面側に移動させることとする。
【００６１】
案内部材７３は、メダルＭＤが開口７３ａから、ソレノイド装置７４を避けて落下するように、メダルＭＤを案内するための部材である。尚、開口７３ａから落下したメダルＭＤは、開口２１ａへ投入されるものとする。
【００６２】
例えば、可動部材７４１が正面側から背面側に向かって移動した場合、レバー７５は、回動軸７６を中心にＢ１方向に回動して、レバー７５の一方側によって開口７３ａが塞がれることとなる。このとき、平板７２上のメダルＭＤは、レバー７５上をＣ１方向（図６）へ搬送されることとなる。Ｃ１方向に搬送されたメダルＭＤは、開口４６ａ（図３）から容器４６内に投入される。一方、例えば、可動部材７４１が背面側から正面側に向かって移動した場合、レバー７５は、回動軸７６を中心にＢ２方向に回動して、開口７３ａが露出した状態となる。このとき、平板７２上のメダルＭＤは、Ｃ２方向（図７）へ落下することとなる。Ｃ２方向に落下したメダルＭＤは、開口２１ａに投入される。
【００６３】
＝＝＝制御装置＝＝＝
以下、図３、図８を参照して、本実施形態における制御装置について説明する。図８は、本実施形態における制御装置の機能を示すブロック図である。
【００６４】
制御装置９は、センサ３１、判定装置６０、計数装置６０ｃ、ソレノイド装置２７１、送風装置５、搬送装置６、振分装置７、羽根車４のモータの制御回路（不図示）（以下、「台間機２００内の装置」と称する）と通信可能に接続される。  
制御装置９は、例えば、送受信部９１、記憶部９３、制御部９６を有する。  
送受信部９１は、台間機２００内の装置との間で通信を行う。  
記憶部９３は、例えば、第１の領域９３１、第２の領域９３２を有する。第１の領域９３１には、例えば、台間機２００を制御するためのプログラムが記憶される。第２の領域９３２には、例えば、台間機２００への投入枚数を示す情報が記憶される。  
制御部９６は、第１の領域９３１に記憶された台間機２００を制御するためのプログラムに基づいて、台間機２００を制御する。
【００６５】
例えば、検出信号を受信した場合、制御部９６は、送受信部９１から開信号、噴射開始信号、起動信号を送信させる。例えば、メダルＭＤが真であることを示す判定信号を受信した場合、制御部９６は、送受信部９１から真信号を送信させる。例えば、メダルＭＤが偽であることを示す判定信号を受信した場合、制御部９６は、送受信部９１から偽信号を送信させる。
【００６６】
＝＝＝台間機の動作＝＝＝
以下、図３、図５、図１０を参照して、本実施形態における台間機の動作について説明する。図１０は、本実施形態における台間機の動作を示すフローチャートである。
【００６７】
例えば、トレイ２６へ投入されたメダルＭＤを計数した後、当該メダルＭＤを台間機２００外へ排出するまでの、台間機２００の動作について説明する。第１の領域９３１内のプログラムの実行が開始されて、制御装置９が台間機２００の制御を開始したところから説明する。
【００６８】
制御装置９は、センサ３１がメダルＭＤを検出したか否かを判断する（ステップＳ１）。例えば、トレイ２６内にメダルＭＤが投入されずに、制御装置９が検出信号を受信しない場合（ステップＳ１のＮＯ）、制御装置９は、ステップＳ１の判断を再度行う。一方、例えば、トレイ２６内にメダルＭＤが投入されて、制御装置９が検出信号を受信した場合（ステップＳ１のＹＥＳ）、制御装置９は、開信号、噴射開始信号、起動信号を送信する。つまり、検出信号の受信を契機として、制御装置９は、開信号、噴射開始信号、起動信号を送信（ステップＳ２）する。
【００６９】
ソレノイド装置２７１内のソレノイドが通電されて、ソレノイド装置２７１は、扉２７を上側へ移動させる駆動力を扉２７へ伝達する。扉２７は上側に移動して、開口２６ａは開いた状態となる。電磁バルブ５５は、チューブ５２の流路を開く。コンプレッサから出力される空気は、チューブ５４、５２を介してノズル５１の先端から噴射される。羽根車４のモータは起動する。羽根車４が、回転軸４２を中心にＡ１方向に回転する。尚、例えば、ノズル５１の先端からの空気の噴射が開始され、羽根車４が所定の回転速度で回転した後に、扉２７を上側へ移動させるように、噴射開始信号、起動信号が送信された後、所定時間経過後に、開信号が送信されることとしてもよい。
【００７０】
メダルＭＤは、傾斜板２８上を流下して開口２６ａから筐体２内へ投入される。メダルＭＤは、羽根４１によって搬送ベルト６２上に案内されることとなる。メダルＭＤは、ベルト装置６２ｃ、６３ｃによって、判定装置６０、計数装置６０ｃが設けられる基台６１上へ搬送される。尚、搬送装置６のモータＭ１乃至Ｍ３は、例えば、予め起動しているものとしてもよいし、検出信号を受信した際に、制御装置９によって起動されるものとしてもよい。
【００７１】
制御装置９は、判定装置６０、計数装置６０ｃから夫々、判定信号、計数信号を受信する（ステップＳ３）。制御装置９は、メダルＭＤが真メダルであるか否かを判断する（ステップＳ４）。
【００７２】
例えば、メダルＭＤが真であることを示す判定信号を制御装置９が受信したとき、制御装置９は、メダルＭＤは真メダルであると判断（ステップＳ４のＹＥＳ）して、真信号を送信（ステップＳ５）する。その後、制御装置９は、台間機２００の制御動作を終了する。ソレノイド装置７４のソレノイドは通電されて、ソレノイド装置７４は、可動部材７４１を背面側から正面側に移動させる。可動部材７４１が背面側から正面側に向かって移動した場合、レバー７５は、回動軸７６を中心にＢ２方向（図７）に回動して、開口７３ａが露出した状態となる。よって、ベルト装置６３ｃ乃至６５ｃによって基台６１上から振分装置７へ搬送されたメダルＭＤは、Ｃ２方向へ落下して、開口２１ａに投入される。
【００７３】
一方、ステップＳ４の判断において、例えば、メダルＭＤが偽であることを示す判定信号を制御装置９が受信したとき、制御装置９は、メダルＭＤは偽メダルであると判断（ステップＳ４のＮＯ）して、偽信号を送信（ステップＳ６）する。その後、制御装置９は、台間機２００の制御動作を終了する。ソレノイド装置７４のソレノイドへ供給される電流は遮断されて、ソレノイド装置７４は、可動部材７４１を正面側から背面側に移動させる。可動部材７４１が正面側から背面側に向かって移動した場合、レバー７５は、回動軸７６を中心にＢ１方向（図６）に回動して、レバー７５の一方側によって開口７３ａが塞がれることとなる。よって、ベルト装置６３ｃ乃至６５ｃによって基台６１上から振分装置７へ搬送されたメダルＭＤは、Ｃ１方向に搬送されたメダルＭＤは、開口４６ａ（図３）から容器４６内に投入される。
【００７４】
尚、例えば、制御装置９による台間機２００の制御動作が終了した後、カード挿入口２１に挿入されているＩＣカードに対して、台間機２００への投入枚数を示す情報が書き込まれることとしてもよい。又、例えば、制御装置９が検出信号を受信した後、制御装置９が予め定められた時間内に検出信号を再度受信しない場合、制御装置９が最後に検出信号を受信してから予め定められた時間経過したときに、制御装置９がモータＭ１乃至Ｍ３を停止するものとしてもよい。尚、予め定められた時間とは、開口２６ａを介して台間機２００内に投入されたメダルＭＤが開口２１ａを介して台間機２００外へ排出されるまでの時間よりも長く、且つ、開口２６ａから台間機２００内に投入されたメダルＭＤが容器４６内に収容されるまでの時間よりも長い時間であり、実験等に基づいて予め設定されるものとしてもよい。
【００７５】
前述したように、台間機２００には、メダルＭＤを投入するための開口２６ａが形成される。扉２７は、開口２６ａを開閉する。センサ３１は、開口２６ａよりも手前側（−Ｙ）の位置においてメダルＭＤの有無を検出する。制御装置９は、検出信号を受信すると、扉２７が開くように、ソレノイド装置２７１を制御する。計数装置６０ｃは、扉２７を介して開口２６ａを通過した後のメダルＭＤの枚数を計数する。よって、メダルＭＤがセンサ３１によって検出されないとき、扉２７は閉じた状態となっているので、開口２６ａから台間機２００内に、例えば塵埃等の異物が入り込むのを防止したり、台間機２００内への悪戯を防止したりできる。従って、台間機２００内への異物の入り込み、台間機２００内への悪戯による台間機２００の故障を防止して、メダルＭＤの枚数を確実に計数することができる。
【００７６】
又、傾斜板２８、搬送装置６は、メダルＭＤを開口２６ａから計数装置６０ｃまで搬送する。傾斜板２８には、孔２８２が形成されている。送風装置５は、孔２８２を介して傾斜板２８の上側から下側へ送風する。よって、開口２６ａから台間機２００内へ入り込む、例えば塵埃や煙草の煙を、傾斜板２８の下側へ排出することができる。従って、塵埃や煙草の煙によって、計数装置６０ｃが故障するのを確実に防止できる。又、送風装置５から噴射される空気によって、メダルＭＤの表面に付着している塵埃を取り除いて、メダルＭＤに塵埃が付着していることによって引き起こされる、計数装置６０ｃによる誤計数、判定装置６０による誤判定を防止できる。従って、メダルＭＤの枚数を正確に計数すると共に、メダルＭＤの真偽を正確に判定する台間機２００を提供できる。
【００７７】
又、送風装置５は、検出信号を契機として、送風を開始する。よって、例えば、扉２７が開くタイミングにあわせて、送風機５による送風を開始できる。従って、扉２７が開いて開口２６ａから台間機２００の内部に入り込む塵埃や煙草の煙を、確実に排出することができる。
【００７８】
又、ノズル５１、孔２８２は、開口２６ａの近傍に設けられる。よって、例えば、開口２６ａから台間機２００の内部に入り込んでくる塵埃や煙草の煙が、搬送ベルト６２、６３、計数装置６０ｃ、判定装置６０に到達する前に、当該塵埃や煙草の煙を排出できる。よって、計数装置６０ｃ、判定装置６０の周囲に、塵埃や煙草の煙が供給されるのを防止して、メダルＭＤの枚数の計数精度、メダルＭＤの真偽の判定精度を向上させることができる。
【００７９】
又、孔２８２は、傾斜板２８におけるメダルＭＤの搬送方向と交差する方向に沿って複数形成される。よって、例えば、メダルＭＤに付着している塵埃を、孔２８２を介して傾斜板２８の下側に排出することができる。よって、当該塵埃がメダルＭＤと共に台間機２００の内部に入り込んで、台間機２００が故障するのを確実に防止できる。
【００８０】
又、傾斜板２８の下側における孔２８２と対向する位置には、容器４５が配設される。例えば、孔２８２を介して傾斜板２８の上側から下側へ落下した塵埃は、容器４５に収容されることとなる。従って、傾斜板２８の上側から下側へ落下した塵埃が、台間機２００内に散らばって、台間機２００が故障するのを防止できる。又、塵埃が容器４５内に収容されているので、当該塵埃を容易に排出できる。従って、メンテナンス性に優れた台間機２００を提供できる。
【００８１】
[第２実施形態]
＝＝＝台間機＝＝＝
第２実施形態における台間機２００ｂは、第１実施形態における制御装置９を、制御装置９ｂに変更したものである。制御装置９ｂは、制御装置９の機能に対して、判定装置６０の判定結果に基づいて扉２７、送風装置５、羽根車４を制御する機能、及び、判定装置６０の判定結果に基づいて管理装置８に対して第１警告信号を出力する機能を追加したものである。尚、制御装置９ｂ以外の構成は、台間機２００と同様であるので、その説明は省略する。
【００８２】
＝＝＝制御装置＝＝＝
以下、図３、図８を参照して、本実施形態における制御装置について説明する。  
制御装置９ｂは、例えば、送受信部９１ｂ、判定部９２ｂ、記憶部９３ｂ、計時部９５ｂ、制御部９６ｂ、計数部９７ｂを有する。
【００８３】
送受信部９１ｂは、台間機２００ｂ内の装置、遊技機１００、管理装置８（メダル計数機を管理するコンピュータ）との間で通信を行う。尚、管理装置８については、後述する。  
計数部９７ｂは、送受信部９１が受信する計数信号、判定信号に基づいて、台間機２００ｂに投入されたメダルＭＤの枚数（以下、「台間機２００ｂへの投入枚数」と称する）のうちの偽メダルの枚数を計数する。  
計時部９５ｂは、現在時刻を計時する、例えばタイマである。
【００８４】
記憶部９３ｂは、例えば、第１の領域９３１ｂ、第２の領域９３２ｂ、第３の領域９３３ｂを有する。第１の領域９３１ｂには、例えば、台間機２００ｂを制御するためのプログラムが記憶される。第２の領域９３２ｂには、例えば、台間機２００ｂへの投入枚数を示す情報、偽メダルの枚数を示す情報が記憶される。尚、台間機２００ｂへの投入枚数とは、台間機２００ｂで計数されたメダルＭＤの枚数である。第３の領域９３３ｂには、例えば、第１閾値枚数（所定枚数）を示す情報が記憶される。第１閾値枚数は、検出信号に関わらず開口２６ａを閉じるか否かを判定するために用いられる。第１閾値枚数は、一定時間内（例えば１分間）に計数される偽メダルの枚数と比較される。第１閾値枚数は、例えば、遊技機１００の遊技者が故意に台間機２００ｂに偽メダルを投入しているのが疑われる程度の枚数であり、調整可能な枚数としてもよい。
【００８５】
判定部９２ｂは、一定時間内（例えば１分間）に計数される偽メダルの枚数が、第１閾値枚数以上であるか否かを判定する。
【００８６】
制御部９６ｂは、台間機２００ｂを制御するためのプログラムに基づいて、台間機２００ｂを制御する。例えば、一定時間内（例えば１分間）に計数される偽メダルの枚数が、第１閾値枚数以上であると、判定部９２ｂが判定した場合、制御部９６ｂは、送受信部９１ｂから閉信号、噴射停止信号、停止信号、第１警告信号を送信させる。尚、第１警告信号については後述する。
【００８７】
＝＝＝管理装置＝＝＝
以下、図９を参照して、本実施形態における管理装置について説明する。図９は、本実施形態における台間機、管理装置、遊技機を示す図である。
【００８８】
管理装置８は、複数の遊技機１００及び台間機２００ｂを管理するための装置である。管理装置８は、例えば、遊技機１００及び台間機２００ｂを管理するための、事務所等に設置される。管理装置８は、複数の遊技機１００及び台間機２００ｂと、通信できるように接続される。  
管理装置８は、送受信部８１、表示部８２、記憶部８３、制御部８４を有する。  
送受信部８１は、台間機２００ｂから出力される第１警告信号を受信する。  
表示部８２は、送受信部８１が受信した第１警告信号に基づいて、警告メッセージを表示するための、例えば、液晶ディスプレイである。  
記憶部８３には、管理装置８を動作させるためのプログラムが記憶されている。  
制御部８４は、記憶部８３に記憶されているプログラムに基づいて、管理装置８を制御する。
【００８９】
例えば、台間機２００ｂから送信された第１警告信号を受信した場合、制御部８４は、偽メダルが連続投入されているので、扉２７が閉じられたことを示す第１警告メッセージを表示部８２上に表示させる。
【００９０】
＝＝＝台間機の動作＝＝＝
以下、図３、図９、図１１を参照して、本実施形態における台間機の動作について説明する。図１１は、本実施形態における台間機の動作を示すフローチャートである。尚、図１０のステップと同様なステップについては、同様な符号を付し、その説明は省略する。
【００９１】
制御装置９ｂは、ステップＳ６の動作を行った後、一定時間内（例えば１分間）に計数される偽メダルの枚数が、第１閾値枚数以上であるか否かを判断（ステップＳ７）する。一定時間内に計数される偽メダルの枚数が、第１閾値枚数以上でないと判断した場合（ステップＳ７のＮＯ）、制御装置９ｂは、台間機２００ｂ内の制御動作を終了する。一方、一定時間内に計数される偽メダルの枚数が、第１閾値枚数以上であると判断した場合（ステップＳ７のＹＥＳ）、制御装置９ｂは、閉信号、噴射停止信号、停止信号、第１警告信号を送信（ステップＳ８）した後、台間機２００ｂの制御動作を終了する。
【００９２】
ソレノイド装置２７１内のソレノイドへの電流の供給は遮断されて、ソレノイド装置２７１は、扉２７を下側へ移動させる駆動力を扉２７へ伝達する。扉２７は、扉２７の下側の縁が溝２８１に嵌るように、下側に移動する。扉２７は閉じて、メダルＭＤを開口２６ａから筐体２の内部に投入できない状態となる。電磁バルブ５５は、チューブ５２の流路を閉じる。コンプレッサからノズル５１への空気の供給は遮断されて、ノズル５１の先端から空気が噴射されないこととなる。羽根車４のモータは停止して、羽根車４の回転は停止する。尚、例えば、開口２６ａが扉２７によって閉じられた後に、ノズル５１からの空気の噴射及び羽根車４の回転が停止するように、閉信号が送信された後、所定時間経過の地に、噴射停止信号、停止信号が送信されることとしてもよい。管理装置８は、第１警告メッセージを表示部８２上に表示する。
【００９３】
前述したように、判定装置６０は、開口２６ａを通過した後のメダルＭＤの真偽を判定する。例えば、一定時間内（例えば１分間）に計数される偽メダルの枚数が、第１閾値枚数以上の場合、制御装置９ｂは、検出信号に関わらず、扉２７が閉じるように、ソレノイド装置２７１を制御する。又、その場合、制御装置９ｂは、第１警告信号を管理装置８に送信する。よって、偽メダルが計数され続けるのを防止できる。従って、例えば、遊技機１００用のメダルＭＤ以外のメダルを計数させて、ＩＣカードに当該メダルの枚数を示す情報を記憶させるような、不正な行為を防止できる。又、台間機２００ｂが設置されている遊技場の管理者は、当該不正な行為を監視することができる。
【００９４】
又、偽メダルを回収するための容器４６が、筐体２内に配設される。よって、例えば、遊技機１００の遊技者に対して偽メダルが貸し出されるのを防止できる。又、例えば、遊技場内で流通している偽メダルの枚数を把握して、確実に処分することができる。又、例えば、偽メダルが台間機２００ｂで計数されるか否かを、複数回に渡って試されるような、不正な行為を防止できる。
【００９５】
[第３実施形態]
＝＝＝台間機＝＝＝
第３実施形態における台間機２００ｃは、第２実施形態における制御装置９ｂを、制御装置９ｃに変更したものである。尚、制御装置９ｃ以外の構成は、台間機２００ｂと同様であるので、その説明は省略する。
【００９６】
＝＝＝制御装置＝＝＝
以下、図３、図８を参照して、本実施形態における制御装置について説明する。  
制御装置９ｃは、例えば、送受信部９１ｃ、判定部９２ｃ、記憶部９３ｃ、演算部９４ｃ、計時部９５ｂ、制御部９６ｃ、計数部９７ｃを有する。
【００９７】
送受信部９１ｃは、台間機２００ｃ内の装置、遊技機１００、管理装置８との間で通信を行う。ここで、遊技機１００（図２）は、メダルＭＤを投入するためのメダル投入口１０１、遊技結果に基づいてメダルＭＤを返却するためのメダル返却口１０２を有する。遊技機１００は、メダル投入口１０１に投入されるメダルＭＤの枚数に応じて第１信号を出力し、メダル返却口１０２に返却されるメダルＭＤの枚数に応じて第２信号を出力する。送受信部９１ｃは、第１及び第２信号を、遊技機１００から受信する。
【００９８】
計数部９７ｃは、送受信部９１ｃが受信する第１及び第２信号に基づいて、遊技機１００に投入されたメダルＭＤの枚数（第１枚数）（以下、「打込枚数」と称する）、遊技機１００から返却（排出）されたメダルＭＤの枚数（以下、「払出枚数」と称する）を計数する。尚、計数部９７ｃは、遊技機１００の遊技者毎の打込枚数及び払出枚数を計数する。ここで、例えば、カード挿入口２１（図２）にＩＣカードが挿入されたとき、ユニット２０１からカード検出信号が出力されるものとする。計数部９７ｃは、例えば、カード検出信号を制御装置９ｃが受信してからの、打込枚数及び払出枚数の累積を、遊技者毎の打込枚数及び払出枚数として計数するものとする。
【００９９】
記憶部９３ｃは、例えば、第１の領域９３１ｃ、第２の領域９３２ｂ、第３の領域９３３ｃ、第４の領域９３４ｃを有する。第１の領域９３１ｃには、例えば、台間機２００ｃを制御するためのプログラムが記憶される。第３の領域９３３ｃには、例えば、第２閾値枚数を示す情報が記憶される。第４の領域９３４ｃには、例えば、計数部９７ｃで計数された打込枚数、払出枚数を示す情報が記憶される。更に、第４の領域９３４ｃには、例えば、ビルバリに投入された金銭に基づくメダルＭＤの枚数である貸出枚数を示す情報が記憶される。尚、ビルバリと、当該ビルバリに投入された金銭に基づく枚数のメダルＭＤを貸し出す台間機２００ｃの機能が、メダル貸出装置に相当する。第２閾値枚数は、第４枚数と比較される。尚、第４枚数については、後述する。
【０１００】
演算部９４ｃは、計数部９７ｃの計数結果に基づいて、貸出枚数と払出枚数との合計の枚数（第２枚数）から第１枚数を減じて、遊技機１００で遊技を行う遊技者の手持ちのメダルＭＤの枚数（以下、「第３枚数」と称する）を算出する。演算部９４ｃは、更に、台間機２００ｃへの投入枚数から、第３枚数を減じて、台間機２００ｃで計数されたメダルＭＤの枚数と遊技機１００で遊技を行う遊技者の手持ちのメダルＭＤの枚数との差の枚数（以下、「第４枚数」と称する）を算出する。尚、台間機２００ｃへの投入枚数が、計数値に相当する。ここで、第２閾値枚数は、例えば、遊技機１００が設置されている遊戯場内の遊技者が、他の遊技機１００で遊技を行うことに起因する枚数よりも多い、例えば５０枚程度に設定される。
【０１０１】
判定部９２ｃは、第４枚数が、第２閾値枚数以上であるか否かを判定する。  
制御部９６ｃは、台間機２００ｃを制御するためのプログラムに基づいて、台間機２００ｃを制御する。例えば、第４枚数が第２閾値枚数以上であると、判定部９２ｃが判定した場合、制御部９６ｃは、送受信部９１ｃから閉信号、噴射停止信号、停止信号、第２警告信号を送信させる。
【０１０２】
尚、例えば、台間機２００ｃから送信された第２警告信号を管理装置８が受信した場合、制御部８４は、不正にメダルを計数している虞があるので、扉２７が閉じられたことを示す第２警告メッセージを表示部８２上に表示させる。
【０１０３】
＝＝＝台間機の動作＝＝＝
以下、図３、図９、図１２を参照して、本実施形態における台間機の動作について説明する。図１２は、本実施形態における台間機の動作を示すフローチャートである。尚、図１０のステップと同様なステップについては、同様な符号を付し、その説明は省略する。
【０１０４】
制御装置９ｃは、第１及び第２信号、計数信号を受信する（ステップＳ２１）。制御装置９ｃは、第４枚数を算出する（ステップＳ２２）。制御装置９ｃは、第４枚数が第２閾値枚数以上であるか否かを判断する（ステップＳ２３）。例えば、第４枚数が第２閾値枚数以上でないと、制御装置９ｃが判断した場合（ステップＳ２３のＮＯ）、制御装置９ｃは、上記ステップＳ２１、Ｓ２２の制御動作の後、ステップＳ２３の判断を再度行う。一方、例えば、第４枚数が第２閾値枚数以上であると、制御装置９ｃが判断した場合（ステップＳ２３のＹＥＳ）、制御装置９ｃは、閉信号、噴射停止信号、停止信号、第２警告信号を送信（ステップＳ２４）した後、台間機２００ｃの制御動作を終了する。
【０１０５】
閉信号、噴射停止信号、停止信号による、台間機２００ｃ内の装置の動作については、ステップＳ８（図１１）での台間機２００ｂ内の装置の動作と同様であるので、その説明は省略する。管理装置８は、第２警告メッセージを表示部８２上に表示する。
【０１０６】
前述したように、制御装置９ｃは、第２枚数から第１枚数を減じて、遊技機１００で遊技を行う遊技者の手持ちのメダルＭＤの枚数である第３枚数を算出する。制御装置９ｃは、更に、台間機２００ｃへの投入枚数から、第３枚数を減じて第４枚数を算出する。制御装置９ｃは、第４枚数が第２閾値枚数以上であるか否かを判断する。第４枚数が第２閾値枚数以上である場合、制御装置９ｃは、検出信号に関わらず、扉２７が閉じるように、ソレノイド装置２７１を制御する。又、その場合、制御装置９ｃは、第２警告信号を管理装置８に送信する。つまり、第１枚数よりも第２枚数の方が多い場合であって、更に、計数装置６０ｃで計数されたメダルＭＤの枚数が、第１枚数と第２枚数との差の枚数である第３枚数よりも多い場合、扉２７は閉じることとなる。又、その場合、表示部８２上に、第２警告メッセージが表示されることとなる。よって、例えば、遊技機１００が設置されている遊技場以外の遊技場から持ち込んだメダルを計数させて、ＩＣカードに当該メダルの枚数を示す情報を記憶させるような、不正な行為を防止できる。又、遊技場の管理者は、当該不正な行為を監視することができる。
【０１０７】
尚、第１乃至第３実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１０８】
第３実施形態においては、台間機２００ｃへの投入枚数から、第３枚数を減じて第４枚数とする構成について説明したが、これに限定されるものではない。例えば、第３枚数から、台間機２００ｃへの投入枚数を減じて第４枚数としてもよい。更に、第４枚数が第２閾値枚数以上である場合、台間機２００ｃの計数装置６０ｃが故障している虞があるものとして、扉２７を閉じたり、管理装置８に警告信号を送信したりしてもよい。つまり第３枚数が、台間機２００ｃへの投入枚数よりも多いことを検出することによって、台間機２００ｃの故障を把握して、迅速にメンテナンスを行うことができる。従って、メンテナンス性よい台間機２００ｃを提供することができる。
【０１０９】
又、第１実施形態においては、センサ３１、制御装置９、扉２７等を台間機２００に設ける場合について説明したが、これに限定されるものではない。例えば、複数の遊技機１００が設置されている遊技場内の遊技島内に共通に設けられるメダル計数装置に対して、センサ３１、制御装置９、扉２７等を設けてもよい。
【符号の説明】
【０１１０】
２                筐体
４                羽根車
５                送風装置
６                搬送装置
７                振分装置
８                管理装置
９、９ｂ、９ｃ    制御装置
２１ａ、２５ａ、２６ａ、５６ａ  開口
２５、２６        トレイ
２７              扉
２８              傾斜板
３１              センサ
４５、４６        容器
５１              ノズル
５２、５３、５４  チューブ
５５              電磁バルブ
６０              判定装置
６０ｃ            計数装置
７４、２７１      ソレノイド装置
１００            遊技機
２００、２００ｂ、２００ｃ  台間機
２０３            計数ユニット
２８１            溝
２８２            孔
ＭＤ              メダル
【図１】
2013188254.tif 000003
【図２】
2013188254.tif 000004
【図３】
2013188254.tif 000005
【図４】
2013188254.tif 000006
【図５】
2013188254.tif 000007
【図６】
2013188254.tif 000008
【図７】
2013188254.tif 000009
【図８】
2013188254.tif 000010
【図９】
2013188254.tif 000011
【図１０】
2013188254.tif 000012
【図１１】
2013188254.tif 000013
【図１２】
2013188254.tif 000014